(57)【要約】【課題】重心位置およびヘッド重量を様々に変更することが可能なゴルフクラブヘッドを提供する。【解決手段】ソール部に凹部１６が設けられた中空ヘッド本体１２と、凸壁２８、３０、３２により仕切られた複数のウエイト装着室３４を有し、ヘッド本体の凹部内に配置される重心特性調整部材２０と、重心特性調整部材のウエイト装着室に着脱可能に装着されるウエイト部材３６と、重心特性調整部材を任意の回転位置でヘッド本体に固定する固定部材３８とを具備するゴルフクラブヘッド１０とする。そして、ウエイト部材を装着するウエイト装着室の選定、ウエイト装着室に装着するウエイト部材の重量の選定、ヘッド本体に固定する重心特性調整部材の回転位置の選定を適宜行うことにより、重心位置およびヘッド重量の変更を行う。【選択図】図１
2011005166.tif 000002
【特許請求の範囲】
【請求項１】
ソール部に凹部が設けられた中空ヘッド本体と、
凸壁により仕切られた複数のウエイト装着室を有し、前記ヘッド本体の凹部内に配置される重心特性調整部材と、
前記重心特性調整部材のウエイト装着室に着脱可能に装着されるウエイト部材と、
前記重心特性調整部材を任意の回転位置で前記ヘッド本体に固定する固定部材と
を具備することを特徴とするゴルフクラブヘッド。
【請求項２】
前記重心特性調整部材は、中央部にネジ挿入穴を有する円形または正方形の基板の片面に前記凸壁を設けたものであり、
前記固定部材は、軸部の外周にネジ山が形成された雄ネジであり、
前記ヘッド本体のソール部には雌ネジ部が形成されており、
重心特性調整部材をヘッド本体の凹部内に配置し、前記雄ネジの軸部を前記ネジ挿入穴に通して前記雌ネジ部に螺合することにより、重心特性調整部材を任意の回転位置でヘッド本体に固定することを特徴とする請求項１に記載のゴルフクラブヘッド。
【請求項３】
前記ヘッド本体および重心特性調整部材の一方に設けられた突起、他方に設けられた前記突起と係合する係合溝により、ヘッド本体に固定した重心特性調整部材の回転防止機構が形成されていることを特徴とする請求項１または２に記載のゴルフクラブヘッド。
【請求項４】
前記ヘッド本体のソール部に設けられた凹部の裏面にリブが形成されていることを特徴とする請求項１〜３のいずれか１項に記載のゴルフクラブヘッド。
【発明の詳細な説明】
【技術分野】
【０００１】
本発明は、重心位置およびヘッド重量を様々に変更することが可能な中空ゴルフクラブヘッドに関する。
【背景技術】
【０００２】
従来、重心位置を変更することが可能なゴルフクラブヘッドとして、特許文献１のものが提案されている。特許文献１のゴルフクラブヘッドは、ヘッドの打球面の裏側に少なくともボール相当の直径を有する凹部を設け、上記凹部内にて内外方向へ移動させることによってヘッドの重心位置を変化させる可動錘を設けたものである（請求項１）。
【先行技術文献】
【特許文献】
【０００３】
【特許文献１】特開２００６−１０１９１８号公報
【発明の概要】
【発明が解決しようとする課題】
【０００４】
しかし、特許文献１のゴルフクラブヘッドは、重心位置を変更することはできるが、ヘッド重量を変更することはできないものであった。
【０００５】
また、ウエイト部材を用いてクラブヘッドの重心位置を変更する場合、ウエイト部材を１箇所に配置して集中荷重を行う手法と、ウエイト部材を複数箇所に配置して分配荷重を行う手法とが考えられ、いずれの手法でも同じ位置に重心を設定することができるが、特許文献１のゴルフクラブヘッドは、前者の集中荷重を行う手法しか採ることができないものであった。
【０００６】
本発明は、上記事情に鑑みてなされたもので、重心位置およびヘッド重量の両方を様々に変更することができ、しかも、クラブヘッドの重心位置を変更する場合に、ウエイト部材を１箇所に配置して集中荷重を行う手法と、ウエイト部材を複数箇所に配置して分配荷重を行う手法の両方を採ることが可能なゴルフクラブヘッドを提供することを目的とする。
【課題を解決するための手段】
【０００７】
本発明は、前記目的を達成するため、
ソール部に凹部が設けられた中空ヘッド本体と、
凸壁により仕切られた複数のウエイト装着室を有し、前記ヘッド本体の凹部内に配置される重心特性調整部材と、
前記重心特性調整部材のウエイト装着室に着脱可能に装着されるウエイト部材と、
前記重心特性調整部材を任意の回転位置で前記ヘッド本体に固定する固定部材と
を具備することを特徴とするゴルフクラブヘッドを提供する。
【０００８】
本発明のゴルフクラブヘッドは、ヘッド本体の凹部内に、複数のウエイト装着室を有する重心特性調整部材が固定され、上記重心特性調整部材の各ウエイト装着室には、ウエイト部材が装着可能であるとともに、重心特性調整部材は任意の回転位置でヘッド本体に固定することができる。したがって、重心特性調整部材のウエイト部材を装着するウエイト装着室の選定、重心特性調整部材のウエイト装着室に装着するウエイト部材の重量の選定、および、ヘッド本体に固定する重心特性調整部材の回転位置の選定から選ばれる１つ以上の選定を適宜行うことにより、重心位置およびヘッド重量の一方または両方を多様なバリエーションをもって様々に変更することが可能である。
【０００９】
また、本発明のゴルフクラブヘッドは、重心特性調整部材の１つのウエイト装着室にウエイト部材を装着したり、複数のウエイト装着室にウエイト部材を並べて装着したりすることにより、前述した集中荷重を行うことができ、重心特性調整部材の複数のウエイト装着室にウエイト部材を互いに離間させて装着することにより、前述した分配荷重を行うことができる。
【００１０】
本発明のゴルフクラブヘッドは、より具体的には、
前記重心特性調整部材は、中央部にネジ挿入穴を有する円形または正方形の基板の片面に前記凸壁を設けたものであり、
前記固定部材は、軸部の外周にネジ山が形成された雄ネジであり、
前記ヘッド本体のソール部には雌ネジ部が形成されており、
重心特性調整部材をヘッド本体の凹部内に配置し、前記雄ネジの軸部を前記ネジ挿入穴に通して前記雌ネジ部に螺合することにより、重心特性調整部材を任意の回転位置でヘッド本体に固定するように構成することができる。
【００１１】
また、本発明のゴルフクラブヘッドは、前記ヘッド本体および重心特性調整部材の一方に設けられた突起、他方に設けられた前記突起と係合する係合溝により、ヘッド本体に固定した重心特性調整部材の回転防止機構が形成されている構成とすることができる。これにより、スイング時などにヘッド本体に固定した重心特性調整部材が回転することを防止することができる。
【００１２】
さらに、本発明のゴルフクラブヘッドは、ヘッド本体のソール部に設けられた凹部の裏面（中空部側の面）にリブが形成されている構成とすることができる。このようにすると、上記リブの作用により、インパクト時におけるヘッドの打球音を改善することができる。すなわち、ヘッド本体のソール部に設けられた凹部の底はほぼ平面状となるため、打球時にヘッドの変形によって低い打球音が出やすいが、上記リブによりヘッドの剛性を高めることによって、打球音を改善することができる。
【発明の効果】
【００１３】
本発明のゴルフクラブヘッドは、重心位置およびヘッド重量の両方を様々に変更することができるとともに、クラブヘッドの重心位置を変更する場合に、ウエイト部材を１箇所に配置して集中荷重を行う手法と、ウエイト部材を複数箇所に配置して分配荷重を行う手法の両方を採ることができる。
【図面の簡単な説明】
【００１４】
【図１】本発明に係るゴルフクラブヘッドの第１実施形態を示すソール側から見た底面図である。
【図２】図１のゴルフクラブヘッドの断面図である。
【図３】本発明に係るゴルフクラブヘッドの第２実施形態を示すソール側から見た底面図である。
【図４】図３のゴルフクラブヘッドの断面図である。
【図５】重心特性調整部材の一例を示す平面図である。
【図６】重心特性調整部材の回転防止機構の一例を示す説明図である。
【図７】ヘッド本体のソール部に設けられた凹部の裏面にリブを形成したゴルフクラブヘッドを示す一部切り欠き斜視図である。
【発明を実施するための形態】
【００１５】
以下、本発明につき図面を参照して詳しく説明する。
【００１６】
（第１実施形態）
図１、図２は本発明に係るゴルフクラブヘッドの第１実施形態を示すもので、図１はソール側から見た底面図、図２は断面図である。
【００１７】
本例のゴルフクラブヘッド１０において、１２はヘッド本体を示す。ヘッド本体１２は、中空部１４を有するもので、ソール部に略円形の凹部１６が設けられている。また、ヘッド本体１２の凹部１６の中央には、孔状の雌ネジ部１８が形成されている。ヘッド本体の材質に限定はなく、例えば、チタン、チタン合金、ステンレス鋼、アルミニウム、アルミニウム合金、ベリリウム銅合金、マグネシウム合金等の金属や、繊維強化樹脂などを使って形成することができる。
【００１８】
図中２０は、ヘッド本体１２の凹部１６内に配置された重心特性調整部材を示す。重心特性調整部材２０は、中央にネジ挿入穴２４を有する円形の基板２６の下面中央部に円形リング状の内側凸壁２８、外周縁に円形の外側凸壁３０、内側凸壁２８と外側凸壁３０との間に８本の放射状凸壁３２が突設されたもので、内側凸壁２８、外側凸壁３０および放射状凸壁３２に仕切られた８つのウエイト装着室３４を有する。重心特性調整部材の材質に限定はなく、例えば、ステンレス鋼、チタン、チタン合金、アルミニウム、アルミニウム合金等の金属や、ポリエステル、ナイロン等のプラスチックによって形成することができる。
【００１９】
図中３６は、重心特性調整部材２０のウエイト装着室３４に着脱可能に装着されたウエイト部材を示す。ウエイト部材３６の平面形状はウエイト装着室３４の平面形状とほぼ同じであり、ウエイト部材３６の高さはウエイト装着室３４の凸壁２８、３０、３２の高さとほぼ同じである。ウエイト部材３６をウエイト装着室３４に固定する手段としては、例えば、ネジ止め方式、嵌合方式等の適宜方式を採ることができる。ウエイト部材の材質に限定はなく、例えば、タングステン、タングステン合金、ステンレス鋼、アルミニウム、アルミニウム合金等の金属や、ポリエステル、ナイロン等のプラスチックによって形成することができる。ウエイト部材の比重は、０．９〜１９．３であることが適当である。
【００２０】
図中３８は、重心特性調整部材２０を任意の回転位置でヘッド本体１２に固定する固定部材を示す。本実施形態における固定部材３８は、軸部４０の外周にネジ山が形成された雄ネジである。本実施形態では、重心特性調整部材２０をヘッド本体１２の凹部１６内に配置し、雄ネジ３８の軸部４０をネジ挿入穴２４に通し、頭部４２を工具で回して軸部４０を雌ネジ部１８に螺合することにより、重心特性調整部材２０を任意の回転位置でヘッド本体１２に固定することができる。雄ネジの材質に限定はなく、例えば、ステンレス鋼、アルミニウム、アルミニウム合金、チタン、チタン合金、マグネシウム合金等の金属や、ポリエステル、ナイロン等のプラスチックによって形成することができる。
【００２１】
（第２実施形態）
図３、図４は本発明に係るゴルフクラブヘッドの第２実施形態を示すもので、図３はソール側から見た底面図、図４は断面図である。本例のゴルフクラブヘッド５０は、図１、図２のゴルフクラブヘッドにおいて、ヘッド本体１２の凹部１６内に重心特性調整部材２０を上下逆にして配置したものである。その他の点は、本例のゴルフクラブヘッド５０は、図１、図２のゴルフクラブヘッドと同じであるため、図３、図４において図１、図２と同一の構成部分には、同一の参照符号を付してその説明を省略する。ただし、図３、図４において、重心特性調整部材２０の放射状凸壁は図示していない。
【００２２】
第１実施形態のゴルフクラブヘッド１０および第２実施形態のゴルフクラブヘッド５０は、重心特性調整部材２０のウエイト部材３６を装着するウエイト装着室３４の選定、ウエイト装着室３４に装着するウエイト部材３６の重量の選定、ヘッド本体１２に固定する重心特性調整部材２０の回転位置の選定を適宜行うことにより、重心位置およびヘッド重量の一方または両方を様々に変更することができる。この場合、重心特性調整部材２０の全てのウエイト装着室３４にウエイト部材３６を装着してもよく、一部のウエイト装着室３４のみにウエイト部材３６を装着してもよく、全てのウエイト装着室３４にウエイト部材３６を装着しなくてもよい。また、重心特性調整部材２０および雄ネジ３８を取り外してもよい。
【００２３】
また、第１実施形態のゴルフクラブヘッド１０および第２実施形態のゴルフクラブヘッド５０は、重心特性調整部材２０の１つのウエイト装着室３４にウエイト部材３６を装着したり、複数のウエイト装着室３４にウエイト部材３６を並べて装着したりすることにより、ウエイト部材３６の集中荷重を行うことができ、重心特性調整部材２０の複数のウエイト装着室３４にウエイト部材３６を互いに離間させて装着することにより、ウエイト部材３６の分配荷重を行うことができる。このようにウエイト部材の分配荷重を行うと、全体の重心位置が同じであっても、集中荷重と比べてスイング中のクラブの重量感、振り感が異なり、分配加重の方が振り軽さ、振り易さを感じやすいという利点を得ることができる。
【００２４】
さらに、第１実施形態のゴルフクラブヘッド１０では、重心特性調整部材２０をヘッド本体１２から取り外した状態でウエイト装着室３４にウエイト部材３６を装着した後、重心特性調整部材２０をヘッド本体１２に固定してもよく、重心特性調整部材２０をヘッド本体１２に固定した状態でウエイト装着室３４にウエイト部材３６を装着しもよい。また、第２実施形態のゴルフクラブヘッド５０では、重心特性調整部材２０をヘッド本体１２から取り外した状態でウエイト装着室３４にウエイト部材３６を装着した後、重心特性調整部材２０をヘッド本体１２に固定する。第２実施形態のゴルフクラブヘッド５０では、ヘッド本体１２と重心特性調整部材２０との間にウエイト部材３６が挟持されるため、必ずしもウエイト部材３６をウエイト装着室３４に固定しなくてもよい。
【００２５】
なお、本発明のゴルフクラブヘッドは上述した実施形態に限定されるものではなく、本発明の要旨を逸脱しない範囲で種々の変更が可能である。例えば、下記（ａ）〜（ｃ）に示す構成とすることができる。
【００２６】
（ａ）重心特性調整部材の形状に限定はなく、例えば図５に示す重心特性調整部材６６のように、中央にネジ挿入穴６０を有する正方形の基板６２の片面に四角格子状の凸壁６４を突設した形状としてもよく、さらに他の形状としてもよい。
【００２７】
（ｂ）図６に示すように、ヘッド本体６８に設けられた係合溝７０および重心特性調整部材７２に設けられた上記係合溝７０と係合する突起７４により、ヘッド本体６８に固定した重心特性調整部材７２の回転防止機構が形成されている構成とすることができる。この場合、ヘッド本体６８に突起を設け、重心特性調整部材７２に上記突起と係合する係合溝を設けてもよい。また、突起および係合溝の数は適宜設定することができる。
【００２８】
（ｃ）図７に示すように、ヘッド本体７６のソール部に設けられた凹部７８の裏面（中空部側の面）に適宜形状のリブ８０が設けられている構成とすることができる。
【符号の説明】
【００２９】
１０  ゴルフクラブヘッド
１２  ヘッド本体
１４  中空部
１６  凹部
１８  雌ネジ部
２０  重心特性調整部材
２４  ネジ挿入穴
２６  基板
２８、３０、３２  凸壁
３４  ウエイト装着室
３６  ウエイト部材
３８  固定部材（雄ネジ）
５０  ゴルフクラブヘッド
６０  ネジ挿入穴
６２  基板
６４  凸壁
６６  重心特性調整部材
６８  重心特性調整部材
７０  突起
７２  ヘッド本体
７４  係合溝
７６  ヘッド本体
７８  凹部
８０  リブ
【図１】
2011005166.tif 000003
【図２】
2011005166.tif 000004
【図３】
2011005166.tif 000005
【図４】
2011005166.tif 000006
【図５】
2011005166.tif 000007
【図６】
2011005166.tif 000008
【図７】
2011005166.tif 000009